(57)【要約】      （修正有）【課題】携帯用通信端末器を利用した特殊な顕微鏡に用いられる試料載置装置を提供する。【解決手段】短冊状の形態からなるものであってアクリレート樹脂を含む透明な合成樹脂製の試料載置部材１１にて形成される試料板１と、試料板１の下方側に、当該試料板１を支えるように設けられるものであって適度の磁力を有するように形成されるサポート部材２と、サポート部材２の下方側に設けられるものであってボールレンズ３１を主に形成されるレーウェンフック顕微鏡３と、レーウェンフック顕微鏡３の下方側に設けられ、当該レーウェンフック顕微鏡３のボールレンズ３１の光軸と同一軸線上にカメラレンズ５１が来るように設置される携帯用通信端末器５と、からなる。サポート部材２は、その高さ（厚さ）の高い（厚い）もの２１と、低い（薄い）もの２２と、が設定され、これらが、レーウェンフック顕微鏡３の上面側に取付けられるようになっている。【選択図】図１
2015206857.tif 000002
【特許請求の範囲】
【請求項１】
携帯用通信端末器並びに当該携帯用通信端末器の上側に設置されるレーウェンフック顕微鏡の、その上側に設けられるものであって、試料の保持並びにその移動を制御する磁石制動式試料板位置制御装置において、上記レーウェンフック顕微鏡を形成するボールレンズのある側に設けられるものであって、所定の磁力を有するように形成されるとともに所定の弾発力を有するように形成されたゴム状弾性体からなるサポート部材と、当該サポート部材上に載置されるものであって、透明なプラスチック材を基礎に形成され、かつ、短冊状の形態からなり、更には、その長手方向の一方の端部側には試料の載置される透明な試料載置部を有するとともに、もう一方の端部側にはステンレススチールを初めとした磁性金属材にて形成されるものであって操作者の指先にて本短冊状部材をスライド移動させることのできるように形成された操作部を有する試料板と、からなるようにしたことを特徴とする磁石制動式試料板位置制御装置。
【請求項２】
請求項１記載の磁石制動式試料板位置制御装置において、上記レーウェンフック顕微鏡の上面側に設けられるものであって上記短冊状の試料板を下方から支えるように機能するサポート部材を、上記試料板の長手方向両端部のところを支えるように２個所において設けるようにするとともに、このような両サポート部材の、それぞれの上下方向の高さの値を異なるようにした構成からなることを特徴とする磁石制動式試料板位置制御装置。
【請求項３】
請求項１記載の磁石制動式試料板位置制御装置において、上記操作部をステンレススチール製の薄板材を基礎に形成させるとともに、この薄板材を所定の接着手段を用いて上記試料板を形成する透明な短冊状部材の一方の端部側に設けるようにした構成からなることを特徴とする磁石制動式試料板位置制御装置。
【発明の詳細な説明】
【技術分野】
【０００１】
本発明は、顕微鏡用の試料載置装置に用いられる試料板位置制御装置に関するものであり、特に、カメラ機構付き携帯用通信端末器（スマートフォン）のカメラ機構部を利用した特殊な顕微鏡において、試料を載置する試料板の保持、更にはその移動等を磁力を利用することによって行わせるようにした磁石制動式試料板位置制御装置に関するものである。
【背景技術】
【０００２】
一般に、光学顕微鏡における試料板位置制御装置としては、例えば特開平９−７３０３２号公報記載のものの如く、研究用あるいは教育用として利用されるロバートフック型顕微鏡に対応したものが挙げられる。
【先行技術文献】
【特許文献】
【０００３】
【特許文献１】特開平９−７３０３２号公報
【発明の概要】
【発明が解決しようとする課題】
【０００４】
ところで、このものは、試料の載置される試料板の移動等が複雑な歯車機構等を基礎に形成されるようになっているものである。従って、この従来のものは、その構造も複雑なものとなり、従来の一般的な顕微鏡においてのみ採用が可能となるものである。しかしながら、現実においては種々の状況に応じて手軽に顕微鏡を利用したいと言うような場合もある。このような要請に応えるためにカメラ機能を有する携帯用通信端末器（スマートフォン）の、そのカメラ機能及びディスプレイ機能を利用することとした、携帯に便利な顕微鏡を開発するとともに、そのような顕微鏡において、試料の載置される試料板の、その移動及び固定を、磁石の磁力を利用することによって行なわせるようにした磁石制動式の試料板位置制御装置を提供しようとするのが、本発明の目的（課題）である。
【課題を解決するための手段】
【０００５】
上記課題を解決するために、本発明においては次のような手段を講ずることとした。すなわち、請求項１記載の発明である第一の発明においては、携帯用通信端末器並びに当該携帯用通信端末器の上側に設置されるレーウェンフック顕微鏡の、その上側に設けられるものであって、試料の保持並びにその移動を制御する磁石制動式試料板位置制御装置に関して、上記レーウェンフック顕微鏡を形成するボールレンズのある側に設けられるものであって、所定の磁力を有するように形成されるとともに所定の弾発力を有するように形成されたゴム状弾性体からなるサポート部材と、当該サポート部材上に載置されるものであって、透明なプラスチック材を基礎に形成され、かつ、短冊状の形態からなり、更には、その長手方向の一方の端部側には試料の載置される透明な試料載置部を有するとともに、もう一方の端部側にはステンレススチールを初めとした磁性金属材にて形成されるものであって操作者の指先にて本短冊状部材をスライド移動させることのできるように形成された操作部を有する試料板と、からなるようにした構成を採ることとした。
【０００６】
次に、請求項２記載の発明である第二の発明においては、請求項１記載の磁石制動式試料板位置制御装置に関して、上記レーウェンフック顕微鏡の上面側に設けられるものであって上記短冊状の試料板を下方から支えるように機能するサポート部材を、上記試料板の長手方向両端部のところを支えるように２個所において設けるようにするとともに、このような両サポート部材の、それぞれの上下方向の高さの値を異なるようにした構成を採ることとした。
【０００７】
次に、請求項３記載の発明である第三の発明においては、請求項１記載の磁石制動式試料板位置制御装置に関して、上記操作部をステンレススチール製の薄板材を基礎に形成させるとともに、この薄板材を所定の接着手段を用いて上記試料板を形成する透明な短冊状部材の一方の端部側に設けるようにした構成を採ることとした。
【発明の効果】
【０００８】
請求項１記載の発明である第一の発明のものにおいては、サポート部材を、ゴム磁石を初めとした適度の弾発力と磁力とを有した部材にて形成させるとともに、このようなサポート部材上にアクリレート合成樹脂材にて形成される透明なプレパラートからなる試料板を載置するようにしたので、上記試料板を、当該試料板の一部に形成された操作部のところをもって、上記サポート部材上にて指先等を用いて所定の平面内にてＸＹ方向に自由に移動させることができるようになる。すなわち、上記試料板は、当該試料板の一部に形成されたステンレススチール等からなる操作部のところがサポート部材に形成される磁力にてサポート部材側へ常に吸引された状態で、本サポート部材上に保持されるようになっている。このような状態において、上記サポート部材における磁力は適当な値に規制されていることより、上記試料板のサポート部材側への吸引力は、それ程強力なものとはなっていない。その結果、上記操作部のところに操作者の指先を掛けることによって、上記試料板を上記サポート部材上にて一定の平面内にて容易に移動をさせることが可能となる。これらによって、本試料板を形成する透明な試料載置部上に載置された状態の試料を、上記レーウェンフック顕微鏡の視野内において適宜位置へと自由に移動させることができるようになる。そして、このようにしてレーウェンフック顕微鏡にて認識されたデータは下側に設けられた携帯用通信端末器のカメラ部へと送られ、最終的に、本携帯用通信端末器に設けられた表示部上に表示されて、観察者に視認されることとなる。
【０００９】
次に、請求項２記載の発明である第二の発明のものにおいては、レーウェンフック顕微鏡の上面側に設けられる二つのサポート部材を、それぞれの高さ（厚さ）の値が異なるように設定することとしたので、この異なった高さを有するサポート部材のうちのいずれか一方のサポート部材上に上記試料板を載せることによって、本試料板の試料載置部上に載置された試料とレーウェンフック顕微鏡対物レンズとの間の距離を、載置される試料の性質に応じて適宜値に選ぶことができるようになる。すなわち、このサポート部材の高さを変えることによって、レーウェンフック顕微鏡と試料板との間の距離であるＺ軸方向の値を２通り自由に選択することができるようになる。このようなサポート部材の選択をすることによって、レーウェンフック顕微鏡におけるＺ軸方向の微調整を行うことができるようになり、これによって、携帯用通信端末器における表示部での鮮明な画像の表示が可能となる。
【００１０】
次に、請求項３記載の発明である第三の発明のものにおいては、試料板における操作部のところを指先で押さえるとともに、このような状態で指先を前後左右に動かすことによって、試料板を上記サポート部材上において所定の平面内にて自由に移動させることができるようになる。このような指先の簡単な操作にて試料板をＸＹ平面内にて自由に動かし、試料板上に載置された試料の画像を最適な状態で携帯用通信端末器の表示部上に表示させることができるようになる。
【図面の簡単な説明】
【００１１】
【図１】本発明にかかるシステム全体の構成を示す展開斜視図である。
【図２】試料板が高い方のサポート部材上に載置された状態を示す図である。
【図３】試料板が低い方のサポート部材上に載置された状態を示す図である。
【発明を実施するための形態】
【００１２】
本発明を実施するための形態について、図１ないし図３を基に説明する。本実施の形態にかかるものの、その基本構成は、例えば図１に示す如く、短冊状の形態からなるものであってアクリレート樹脂を含む透明な合成樹脂製の試料載置部材１１にて形成される試料板１と、当該試料板１の下方側に、当該試料板１を支えるように設けられるものであって適度の磁力を有するように形成されるサポート部材２と、当該サポート部材２の下方側に設けられるものであってボールレンズ３１を主に形成されるレーウェンフック顕微鏡３と、当該レーウェンフック顕微鏡３の下方側に設けられ、当該レーウェンフック顕微鏡３のボールレンズ３１の光軸と同一軸線上にカメラレンズ５１が来るように設置される携帯用通信端末器５と、からなるものである。
【００１３】
このような基本構成からなるものにおいて、上記試料板１を形成する短冊状合成樹脂製の試料載置部材１１の一方の端部側には、ステンレススチールを初めとした磁性金属板からなる操作部１５が所定の接着手段等を介して貼り付けられるようになっている。また、このような構成からなる試料板１の下方側には、例えば図２または図３に示す如く、所定の弾発力を有するものであって所定の磁力を発生するように形成されたゴム磁石等からなるサポート部材２が設けられるようになっている。このような磁力を発生するサポート部材２上に上記試料板１が載置されると、当該試料板１は、本試料板１を形成する操作部１５のところが上記ゴム磁石からなるサポート部材２側へと吸引されることとなり、試料板１は上記サポート部材２上に安定した状態で保持されることとなる。
【００１４】
このような状態において、上記ゴム磁石からなるサポート部材２の磁力は極端に強力なものとはなっていないので、観察者等は、上記試料板１を、上記操作部１５のところを押し引き操作をすることによって、上記サポート部材２上を所定の平面内にてＸＹ方向（図１参照）へ自由に移動させることができる。なお、本実施の形態においては、上記サポート部材２に関しては、その高さ（厚さ）の値の異なるもの、すなわち、高さ（厚さ）の高い（厚い）もの２１（図２参照）と、低い（薄い）もの２２（図３参照）と、が設定され、これらが、それぞれの下側のところに設けられた接着手段２５を介して後に述べるレーウェンフック顕微鏡３の上面側に取外しが可能なように取付けられるようになっている。
【００１５】
次に、このような上下高さの異なる二つのサポート部材２１、２２の取付けられる基礎となる顕微鏡としては、本実施の形態においては、薄型の形態からなるレーウェンフック顕微鏡３が採用されるようになっており、このレーウェンフック顕微鏡３のほぼ中央部のところにはボールレンズ３１が設けられるようになっている。そして、このようなレーウェンフック顕微鏡３の上面側にはサポート部材２（２１、２２）を介して試料板１が載置されるようになっている。従って、このような構成からなる上記サポート部材２上に載置された試料板１は、上記サポート部材２上において、本サポート部材２を形成するゴム磁石の作用により適度の吸引力をもって上記サポート部材２上に保持されることとなる。また、一方、上記試料板１を観察者等が指先をもって上記操作部１５のところを押し引き操作等することによって、上記試料板１を所定の平面内にてＸＹ方向の適宜方向へと移動させることができる。これによって、本試料板１を形成する透明体からなる試料載置部材１１のところに載置された試料９を上記レーウェンフック顕微鏡３を形成するボールレンズ３１の光軸上に設置することができるようになる。
【００１６】
次に、このようなレーウェンフック顕微鏡３の下方側にはカメラ機能及びディスプレイ機能を有する携帯用通信端末器（例えばスマートホン等）５が設けられるようになっている。本実施の形態においては、上記携帯用通信端末器を形成するカメラ機構における、そのレンズ５１の光軸と、上記レーウェンフック顕微鏡３を形成するボールレンズ３１の光軸とが合致するように調整された状態で、上記携帯用通信端末器５上に適度の弾発力を有するクッション３５を介して上記レーウェンフック顕微鏡３が搭載されるようになっている。このような光軸調整を行うことによって、上記レーウェンフック顕微鏡３に入力されたデータ（情報）が携帯用通信端末器５のカメラ機構部に正確に伝達され、最終的に、上記携帯用通信端末器５の表示部５５に表示されることとなる。このようにして、観察者は、上記試料板１上に載置された試料９の内容を、上記レーウェンフック顕微鏡３にて拡大した状態で携帯用通信端末器５の表示部５５上にて視認することができるようになる。
【符号の説明】
【００１７】
１  試料板
１１  試料載置部材
１５  操作部
２  サポート部材
２１  厚さの厚いサポート部材
２２  厚さの薄いサポート部材
２５  接着手段
３  顕微鏡（レーウェンフック顕微鏡）
３１  ボールレンズ
３５  クッション
５  携帯用通信端末器
５１  レンズ
５５  表示部
９  試料
【図１】
2015206857.tif 000003
【図２】
2015206857.tif 000004
【図３】
2015206857.tif 000005